(57)【要約】【課題】魚をつかむのに用いる際にはすぐに手を入れて使用可能状態とすることができ、誰でも容易且つ確実に魚に直接手を触れることなく魚をつかむことができると共に、使用の度の着脱が不要となるタオルを提供する。【解決手段】略袋状のタオル本体２を取付部３で身体所定箇所に装着し、ぶら下がった状態のタオル本体２に対し、使用時はタオル本体２に手を挿入して手を差出すと、連結部４の伸びを伴いつつそのまま手をタオル本体２ごと魚をつかむ位置に差出せることから、魚に直接手を触れないで適切に魚をつかめる状態を容易且つ極短時間に実現できると共に、タオル本体２は常に連結部４を介して取付部３で保持され、手の動きに対して連結部４が自在に伸縮してタオル本体２の動きを妨げずに連結を維持し、非使用時にはタオル本体２がぶら下がり状態に素早く復帰できるなど、使い勝手に優れる。【選択図】  図１
2004181125.tif 000002
【特許請求の範囲】
【請求項１】
少なくとも厚さ方向には熱が伝わりにくい略布体で手を挿入可能な略袋状に形成されるタオル本体と、
使用者の身体所定箇所に着脱可能に取付けられる取付部と、
当該取付部に一端を固定され、他端部を前記タオル本体の袋開口部分の端部に取付けられる連結部とを備えることを
特徴とするタオル。
【請求項２】
前記請求項１に記載のタオルにおいて、
前記タオル本体が、前記略布体を所定の折線部を中心に折り曲げて二つ折り状態とし、且つ重なり合っている略布体の縁部同士を前記折線部に隣接する所定範囲分接合して略袋状に形成されることを
特徴とするタオル。
【請求項３】
前記請求項２に記載のタオルにおいて、
前記タオル本体が、二つ折り状態で袋開口部分となる端部同士を所定幅分ずらして略袋状に形成され、袋開口部分でより外側に端部が位置する面を身体寄りとして身体に装着されることを
特徴とするタオル。
【請求項４】
前記請求項１ないし３のいずれかに記載のタオルにおいて、
前記タオル本体が、袋外面側を短パイルのパイル地とされると共に、袋内面側を前記袋外面側より長パイルのパイル地とされてなることを
特徴とするタオル。
【請求項５】
前記請求項１ないし４のいずれかに記載のタオルにおいて、
前記連結部が、前記タオル本体を前記取付部から離す方向に引張られると伸び、引張りから開放されると復元する弾性材で形成されることを
特徴とするタオル。
【請求項６】
前記請求項５に記載のタオルにおいて、
前記取付部が、開閉可能な略環状体とされて前記連結部と同一材料で形成され、連結部と一体化されてなることを
特徴とするタオル。
【発明の詳細な説明】
【０００１】
【発明の属する技術分野】
本発明は使用時に手を覆い、魚及び手を互いに保護する釣り用のタオルに関し、特に一旦使用した後の身体への再掛止の手間を省け、使用感に優れるタオルに関する。
【０００２】
【従来の技術】
魚釣りの際、魚独特の滑り易い表面性状から魚をつかみ損なうのを防ぐ場合や、えらやひれ等に鋭利な部分や毒を持つ魚を安全につかもうとする場合に、手袋やタオルを介して魚をつかむことが従来から一般的に行われている。特にタオルは、魚やそれ以外の原因で手や釣り道具が汚れたりした際にこれらを拭くのにも用いることができ、手袋を装着している場合にも併用して用いられることが多かった。
【０００３】
こうしたタオルは、使用者の身体の所定箇所、例えば腰のベルト等に掛けて携行されることが多く、必要時にすぐ使用できることが望まれていた。従来のタオルは、身体に取付けた小型のハンガーにタオルを掛けるようにするのが一般的であった。このタオルをハンガーに掛けるタイプでは、タオルを取り出す場合に一旦ハンガーから外さなければならず、瞬時に取外しにくいという問題があった。このため、必要時に引っ張るのみでタオル部分を容易に取出すことができる釣り用タオルが近年提案されている。この従来の釣り用タオルの一例として特開２００２−２３８４２３号公報に記載されるものがあり、これを図３に示す。図３は従来の釣り用タオルの斜視図である。
【０００４】
前記図３に示す従来の釣り用タオル１００は、魚を取扱うためのタオル１０１と、このタオル１０１を掛止する掛止具１０２と、この掛止具１０２を着脱自在に保持する保持部１０３とを有するものである。前記掛止具１０２はＤ型の環状部材によって構成され、Ｄ型の環状部材の直線部にタオル１０１を折り曲げて二つ折りの状態で掛止する。前記保持部１０３には面ファスナ（図示を省略）を配置し、その面ファスナによってＤ型の環状部材の湾曲部を両側から挟むようにして接着保持している。
【０００５】
上記構成の従来の釣り用タオルは、保持部１０３をフック等を介して所定場所に取付け、保持部１０３から掛止具１０２を介してタオル１０１を吊り下げ、必要時にタオル１０１を引っ張ることにより、掛止具１０２が保持部１０３から外れ、タオル１０１部分が外れて使用可能となる仕組みである。
【０００６】
【発明が解決しようとする課題】
従来の釣り用タオルは以上のように構成されていたことから、タオル１０１部分を外して魚をつかむのに用いた後、再び掛止具１０２を保持部１０３に保持させてタオル１０１をぶら下げた状態に戻す作業が必要となり、手間がかかるという課題を有していた。また、タオル１０１は通常のタオルと同様の形態であり、積極的に手を保護するものではなく、タオル１０１を持って手と魚との間に位置させながら魚をつかむのは難しく、特に魚が動いている場合など、タオル１０１を適切に取扱わないと魚に手が触れてしまうこととなり、使用者の熟練を要し、使い勝手があまりよくないという課題を有していた。
【０００７】
さらに、前記従来の釣り用タオルは、タオル１０１を保持部１０３から容易に落下させないために保持部１０３における面ファスナ同士の接着力を十分に確保する必要があり、タオル１０１を引張って掛止具１０２で面ファスナの接着を解きながら保持部１０３から外す際には、逆にある程度引張る力が必要となって外れるまでに時間がかかることとなり、片手でタオルを保持しながら魚をつかむのが難しいことと合わせ、とっさの状況への対応が遅れてしまうこともあるという課題を有していた。
【０００８】
本発明は前記課題を解消するためになされたもので、魚をつかむのに用いる際にはすぐに手を入れて使用可能状態とすることができ、誰でも容易且つ確実に魚に直接手を触れることなく魚をつかむことができると共に、使用の度の着脱が不要となるタオルを提供することを目的とする。
【０００９】
【課題を解決するための手段】
本発明に係るタオルは、少なくとも厚さ方向には熱が伝わりにくい略布体で手を挿入可能な略袋状に形成されるタオル本体と、使用者の身体所定箇所に着脱可能に取付けられる取付部と、当該取付部に一端を固定され、他端部を前記タオル本体の袋開口部分の端部に取付けられる連結部とを備えるものである。
【００１０】
このように本発明においては、略袋状のタオル本体を取付部で身体所定箇所に装着し、取付部及び連結部を介してぶら下がった状態のタオル本体に対し、使用時はタオル本体に手を挿入して手を差出すと、手をタオル本体ごと連結部の長さ範囲で自在に動かせることにより、手でタオル本体を介して魚をつかめることとなり、魚に直接手を触れないで容易且つ適切に魚をつかめると共に、タオル本体は常に連結部を介して取付部で保持され、非使用時にはタオル本体がぶら下がり状態に復帰できることとなり、魚をつかむ状況が一旦終った後に再取付の必要もなく、速やかに再使用もでき、使い勝手に優れる。
【００１１】
また、本発明に係るタオルは必要に応じて、前記タオル本体が、前記略布体を所定の折線部を中心に折り曲げて二つ折り状態とし、且つ重なり合っている略布体の縁部同士を前記折線部に隣接する所定範囲分接合して略袋状に形成されるものである。
このように本発明においては、タオル本体を単純な二つ折り形状に基づく略袋状体とし、タオル本体の少なくとも折線部に対向する辺側が袋開口部となることにより、手の挿入し易さと魚のつかみ易さを両立させながら製造が容易であり、コストダウンを図れると共に、手等を拭くタオルとして使用する際にも単純な二重構造のタオルとして手を拭きやすく、使い勝手に優れる。
【００１２】
また、本発明に係るタオルは必要に応じて、前記タオル本体が、二つ折り状態で袋開口部分となる端部同士を所定幅分ずらして略袋状に形成され、袋開口部分でより外側に端部が位置する面を身体寄りとして身体に装着されるものである。
このように本発明においては、タオル本体の袋開口部をなす端部がずれた状態とされ、タオル本体をぶら下げた状態でタオル本体の袋開口位置が外側に位置することにより、開口位置を見なくても手で触って容易に認識でき、タオル本体端部に沿ってタオル本体内に手を挿入しやすく、魚をつかむ際に速やかに用いることができる。
【００１３】
また、本発明に係るタオルは必要に応じて、前記タオル本体が、袋外面側を短パイルのパイル地とされると共に、袋内面側を前記袋外面側より長パイルのパイル地とされてなるものである。
このように本発明においては、タオル本体の外面と内面をそれぞれ短いパイルとこれより長いパイルのパイル地とし、内外で表面性状を異ならせることにより、魚をつかむ際や手を拭く場合には外側のパイルの短い面でパイルをなす糸の引っかかり等もなく適切に取扱うことができる一方、釣り道具等を拭く場合にはこの用途に適した内側のよりパイルの長い面で確実に水分・汚れを拭取ることができるなど、用途に応じて使い分けられてタオルとしての機能を向上させられる。
【００１４】
また、本発明に係るタオルは必要に応じて、前記連結部が、前記タオル本体を前記取付部から離す方向に引張られると伸び、引張りから開放されると復元する弾性材で形成されるものである。
このように本発明においては、連結部を弾性体とし、連結部を介してぶら下がった状態のタオル本体に対し、使用時はタオル本体に手を挿入して手を差出すと、連結部の伸びを伴いつつそのまま手をタオル本体ごと魚をつかむ位置に差出せることにより、魚に向けそのまま抵抗無く手を差出してタオル本体を介して魚をつかめることとなり、魚に直接手を触れないで適切に魚をつかめる状態をより広い範囲で容易且つ極短時間に実現できると共に、タオル本体は常に連結部を介して取付部で保持され、タオル本体内に挿入された手のどのような動きに対しても連結部が自在に伸縮してタオル本体の動きを妨げずに連結を維持する一方、非使用時にはタオル本体がぶら下がり状態に素早く復帰でき、他の作業を妨げない。
【００１５】
また、本発明に係るタオルは必要に応じて、前記取付部が、開閉可能な略環状体とされて前記連結部と同一材料で形成され、連結部と一体化されてなるものである。
このように本発明においては、取付部を連結部と同一材料の略環状体として連結部と一体化し、略環状部分を開閉して身体所定箇所の環部分にこれを通して着脱する仕組みとすることにより、簡略な構造でタオル全体を身体の所定部分に容易且つ速やかに保持させられ、取扱い性に優れると共に、タオル本体使用で連結部が伸びる場合に取付部も同様に伸びることとなり、タオル本体の移動の自由度が増し、使用者の手の動きにより柔軟に対応できる。
【００１６】
【発明の実施の形態】
以下、本発明の一実施の形態を図１及び図２に基づいて説明する。この図１は本実施の形態に係るタオルの装着状態説明図、図２は本実施の形態に係るタオルの使用状態説明図である。
【００１７】
前記各図において本実施形態に係るタオル１は、厚さ方向には熱が伝わりにくいパイル地の略布体で上辺が短く下辺が長い略台形状外観の袋状に形成されるタオル本体２と、使用者の身体所定箇所に着脱可能に取付けられる取付部３と、この取付部３に一端側が一体に連続し、他端部を前記タオル本体２の袋開口部分の端部に取付けられる略帯状弾性材で形成され、タオル本体２を前記取付部３から離す方向に引張られると伸び、引張りから開放されると復元する連結部４とを備える構成である。
【００１８】
前記タオル本体２は、前記略布体を所定の折線部を中心に折り曲げて二つ折り状態とし、且つ重なり合っている略布体の縁部同士を前記折線部に隣接する下辺から側辺下部まで縫着接合して手１０を挿入可能な略台形の袋状に形成される構成である。このタオル本体２は、二つ折り状態で袋開口部分となる端部同士を所定幅分ずらして略袋状とされており、袋開口部分でより外側に端部が位置する面を使用者の身体寄りとして取付部３及び連結部４を介して使用者の身体所定箇所にぶら下げられる仕組みである。
【００１９】
また、タオル本体２は、これを介して魚をつかんだ状態で魚に使用者の手１０の熱が伝わらない程度の厚手で断熱性のある素材からなり、魚に比べて高い人の体温による魚へのショック等、魚へのダメージを防げる仕組みとなっている。さらに、タオル本体２における連結部４取付位置寄りの袋開口部分近傍の内面側所定箇所には、スナップ、ボタン、面ファスナ等の着脱可能な係着手段５が内面両面にそれぞれ取付けられ、この係着手段５同士の係着で対向する内面同士を連結して、タオル本体２に手１０を挿入する場合に手１０の位置をこの係着手段５より下側の範囲に規定できることとなり、タオル本体２の側辺下部を縫着接合していることと合わせ、タオル本体２内での手１０の位置がほぼ一定となって安定し、魚等をつかむ場合に手１０とタオル本体２とがずれにくく扱いやすい。
前記取付部３は、連結部４と同じ素材の伸縮可能な環状体からなり、面ファスナやボタン、スナップ等で環を開閉可能とする構成である。
【００２０】
次に、前記構成に基づくタオルの使用状態について説明する。まず、身体に対し、取付部３の環を開き、腰部のベルト２０等に通した後再び環を閉じて取付状態とする。こうして身体にタオル本体２をぶら下げた状態で、一般のタオル同様に手を拭いたり釣り道具等を拭いたりするのに使用できる。必要に応じ、タオル本体２を裏返して袋裏側部分を利用してもかまわない。
【００２１】
釣上げた魚をつかむ場合には、タオル本体２の開口部に手１０を挿入し、そのまま魚の方へ手１０を近付けると、連結部４が伸びつつタオル本体２は手１０と共に移動する（図２参照）。手１０はタオル本体２に覆われているため、魚を安全につかめると共に、魚に与えるダメージもほとんどない。連結部４が弾性変形可能な範囲で、タオル本体２及び中に入れた手１０を自由に動かせる。
こうして魚をつかんでいた状態から魚を離し、手１０を戻すと、連結部４が復元してタオル本体２も手１０と共に元の位置に近付く。そして、タオル本体２から手１０を抜くと、タオル本体２は元のぶら下がった状態に戻る。
【００２２】
このように、本実施の形態に係るタオルにおいては、袋状のタオル本体２を取付部３で身体所定箇所に装着し、取付部３及び連結部４を介してぶら下がった状態のタオル本体２に対し、使用時はタオル本体２に手１０を挿入して手１０を差出すと、連結部４の伸びを伴いつつそのまま手１０をタオル本体２ごと魚をつかむ位置に差出せることから、魚に向けそのまま抵抗無く手１０を差出してタオル本体２を介して魚をつかめることとなり、魚に直接手を触れないで適切に魚をつかめる状態を容易且つ極短時間に実現できると共に、タオル本体２は常に連結部４を介して取付部３で保持され、タオル本体２内に挿入された手１０のどのような動きに対しても連結部４が自在に伸縮してタオル本体２の動きを妨げずに連結を維持し、非使用時にはタオル本体２がぶら下がり状態に素早く復帰できることとなり、魚をつかむ状況が一旦終った後に再取付の必要もなく、速やかに再使用もでき、使い勝手に優れる。
【００２３】
なお、前記実施の形態に係るタオルにおいて、タオル本体２を、一方の面が短いパイルのパイル地で他方の面がより長いパイルのパイル地となる略布体で袋外面側に短いパイル地、袋内面側により長いパイルのパイル地をそれぞれ位置させるようにして袋状に形成する構成とすることもでき、魚をつかむ際や手を拭く場合には外側の短パイル地で糸の引っかかり等もなく素早く且つ適切に取扱うことができる一方、釣り道具等を拭く場合にはタオル本体２を裏返して内面を露出させ、この用途に適した内側の長パイル地で確実に水分・汚れを拭取ることができ、用途に応じて使い分けられてタオルとしての機能を向上させられる。また、この場合、表裏の表面性状が異なる一枚の略布体に限らず、異なる種類の略布体を複数枚重ねたものを略袋状に形成し、袋内外に適切な表面性状の略布体を配置する構成としてもかまわない。
【００２４】
また、前記実施の形態に係るタオルにおいて、タオル本体２は上辺が短く下辺が長い略台形状の外観としているが、手１０を速やかに挿入可能な形状であれば、この略台形状以外の形状とすることもできる。さらに、タオル本体２を連結部４他端部に対しボタン等で着脱可能に取付ける構成とすることもでき、タオル本体２が汚れたら連結部４と分離して洗ったり新品と交換したりすることが容易に行える。
【００２５】
また、前記実施の形態に係るタオルにおいては、一枚の略布体を二つ折りにして重なる縁をそのまま縫着してタオル本体２として形成する構成としているが、この他、略袋状体の縫着部分を手１０の大きさ、形状に合わせて丸みを付けたり、縫着接合範囲を変えたりして形成する構成とすることもでき、手１０にぴったりフィットし、装着感がより向上すると共に、魚を適切に保持できることとなる。さらに、タオル本体２を、単純な二つ折りに限らず、部分的に複数回折重ねて、親指部分が入る領域とその他の指部分が入る領域とを区分して設定し、手の形に対応させて物をよりつかみ易い形状にする構成とすることもできる。
【００２６】
また、前記実施の形態に係るタオルにおいて、略帯状弾性材の環部分を取付部３とし、これと一体の連結部４を介してタオル本体２に取付ける構成としているが、これに限らず、略帯状弾性材の両端部をそれぞれタオル本体２表裏に取付けて一つの環を形成し、略帯状弾性材の一方又は両方の端部をタオル本体２に対し着脱可能として、取付部３と連結部４を兼ねさせる構成とすることもできる。さらに、前記実施の形態において取付部３と連結部４とを同一材料で一体に形成する構成としているが、この他、取付部３を連結部４とは別体の身体所定箇所に取付可能な略環状体で形成する構成とすることもできる。
【００２７】
【発明の効果】
以上のように本発明によれば、略袋状のタオル本体を取付部で身体所定箇所に装着し、取付部及び連結部を介してぶら下がった状態のタオル本体に対し、使用時はタオル本体に手を挿入して手を差出すと、手をタオル本体ごと連結部の長さ範囲で自在に動かせることにより、手でタオル本体を介して魚をつかめることとなり、魚に直接手を触れないで容易且つ適切に魚をつかめると共に、タオル本体は常に連結部を介して取付部で保持され、非使用時にはタオル本体がぶら下がり状態に復帰できることとなり、魚をつかむ状況が一旦終った後に再取付の必要もなく、速やかに再使用もでき、使い勝手に優れるという効果を奏する。
【００２８】
また、本発明によれば、タオル本体を単純な二つ折り形状に基づく略袋状体とし、タオル本体の少なくとも折線部に対向する辺側が袋開口部となることにより、手の挿入し易さと魚のつかみ易さを両立させながら製造が容易であり、コストダウンを図れると共に、手等を拭くタオルとして使用する際にも単純な二重構造のタオルとして手を拭きやすく、使い勝手に優れるという効果を有する。
【００２９】
また、本発明によれば、タオル本体の袋開口部をなす端部がずれた状態とされ、タオル本体をぶら下げた状態でタオル本体の袋開口位置が外側に位置することにより、開口位置を見なくても手で触って容易に認識でき、タオル本体端部に沿ってタオル本体内に手を挿入しやすく、魚をつかむ際に速やかに用いることができるという効果を有する。
【００３０】
また、本発明によれば、タオル本体の外面と内面をそれぞれ短いパイルとこれより長いパイルのパイル地とし、内外で表面性状を異ならせることにより、魚をつかむ際や手を拭く場合には外側のパイルの短い面でパイルをなす糸の引っかかり等もなく適切に取扱うことができる一方、釣り道具等を拭く場合にはこの用途に適した内側のよりパイルの長い面で確実に水分・汚れを拭取ることができるなど、用途に応じて使い分けられてタオルとしての機能を向上させられるという効果を有する。
【００３１】
また、本発明によれば、連結部を弾性体とし、連結部を介してぶら下がった状態のタオル本体に対し、使用時はタオル本体に手を挿入して手を差出すと、連結部の伸びを伴いつつそのまま手をタオル本体ごと魚をつかむ位置に差出せることにより、魚に向けそのまま抵抗無く手を差出してタオル本体を介して魚をつかめることとなり、魚に直接手を触れないで適切に魚をつかめる状態をより広い範囲で容易且つ極短時間に実現できると共に、タオル本体は常に連結部を介して取付部で保持され、タオル本体内に挿入された手のどのような動きに対しても連結部が自在に伸縮してタオル本体の動きを妨げずに連結を維持する一方、非使用時にはタオル本体がぶら下がり状態に素早く復帰でき、他の作業を妨げないという効果を有する。
【００３２】
また、本発明によれば、取付部を連結部と同一材料の略環状体として連結部と一体化し、略環状部分を開閉して身体所定箇所の環部分にこれを通して着脱する仕組みとすることにより、簡略な構造でタオル全体を身体の所定部分に容易且つ速やかに保持させられ、取扱い性に優れると共に、タオル本体使用で連結部が伸びる場合に取付部も同様に伸びることとなり、タオル本体の移動の自由度が増し、使用者の手の動きにより柔軟に対応できるという効果を有する。
【図面の簡単な説明】
【図１】本発明の一実施の形態に係るタオルの装着状態説明図である。
【図２】本発明の一実施の形態に係るタオルの使用状態説明図である。
【図３】従来の釣り用タオルの斜視図である。
【符号の説明】
１      タオル
２      タオル本体
３      取付部
４      連結部
５      係着手段
１０    手
２０    ベルト
１００  釣り用タオル
１０１  タオル
１０２  掛止具
１０３  保持部
【図１】
2004181125.tif 000003
【図２】
2004181125.tif 000004
【図３】
2004181125.tif 000005